(57)【要約】      （修正有）【課題】果物をきれいに破砕し、洗浄が容易で、サイズが小さく、外出時に使用できるジュースカップを提供すること。【解決手段】ジュースカップは、本体２１を含み、本体２１にはカップカバー２２がねじ山によって連結され、カップカバー２２の中には内凹溝２３が設けられ、本体２１の中には内凹溝２３と連通したチャンバ３１が設けられ、チャンバ３１の左右両端壁には長スライド溝３０が設けられ、長スライド溝３０と、前記チャンバ３１と動力チャンバ３７の中には破砕装置１０２が設けられ、モータ３９は破砕装置１０２の昇降および回転を駆動する。【選択図】図１
2020179074.tif 000002
【特許請求の範囲】
【請求項１】
ジュースカップであって、本体を含み、前記本体にはカップカバーがねじ山によって連結され、前記カップカバーの中には内凹溝が設けられ、前記本体の中には前記内凹溝と連通したチャンバが設けられ、前記チャンバの下端壁には連結チャンバが設けられ、前記連結チャンバの下端壁には動力チャンバが設けられ、前記動力チャンバの下端壁にはモータが設けられ、前記モータの上端にはモータ軸が連結され、前記モータ軸の外周には小プーリが上下に対称的に固定的に設けられ、前記モータ軸の上端には前記連結チャンバとスライドできるように連結される取付けブロックが固定的に設けられ、前記取付けブロックの中には取付け溝が設けられ、前記取付け溝の左右端壁には引掛りブロック引掛り溝が対称的に設けられ、前記取付け溝の中には主軸がスライドできるように連結され、前記主軸の中には連動チャンバが設けられ、前記連動チャンバの中には前記主軸を固定できる固定装置が設けられ、前記主軸の外周には前記チャンバとスライドできるように連結されるゴムリングが固定的に設けられ、前記ゴムリングの中には前記主軸と固定的に連結される底板が設けられ、前記主軸の左右両端面には水入り口が対称的に設けられ、前記主軸の中にはストローがスライドできるように連結され、前記ストローの底端は水入り口と相通しており、前記チャンバの左右両端壁には長スライド溝が設けられ、前記長スライド溝と、前記チャンバと前記動力チャンバの中には破砕装置が設けられ、前記モータは前記破砕装置の昇降および回転を駆動することを特徴とするジュースカップ。
【請求項２】
前記固定装置は前記主軸の中にスライドできるように取り付けられるプルロッドを含み、前記連動チャンバの上端壁には位置制限溝が左右に対称的に設けられ、前記連動チャンバの下端壁には引掛りブロックスライド溝が左右に対称的に設けられ、前記引掛りブロックスライド溝の中にはそれぞれ前記引掛りブロック引掛り溝とスライドできるように連結される引掛りブロックがスライドできるように連結され、前記引掛りブロックと、前記引掛りブロックと相対している前記引掛りブロックスライド溝との間には引掛りブロックばねが連結され、二個の前記引掛りブロックの上端面にはそれぞれスライドロッドが固定的に設けられ、各前記スライドロッドとプルロッドとの間にはそれぞれヒンジ連結ロッドがヒンジで連結され、各前記スライドロッドの上端面には前記位置制限溝とスライドできるように連結される位置制限ブロックが固定的に設けられ、前記プルロッドの上端には前記ストローとスライドできるように連結される回しチューブが固定的に設けられ、前記プルロッドが上方に移動すると、前記ヒンジ連結ロッドの一端が連動して上方に移動し、それによって、前記ヒンジ連結ロッドの他端が連動してプルロッドに近づき、前記引掛りブロックは前記引掛りブロック引掛り溝から離脱し、これにより、前記プルロッドを抜き出すことができることを特徴とする請求項１に記載のジュースカップ。
【請求項３】
前記破砕装置は前記主軸の左右両端面に左右に対称的に固定的に取り付けられる駆動棒状体を含み、前記駆動棒状体にはスライドリングがスライドできるように連結され、前記スライドリングは前記主軸とスライドできるように連結され、前記スライドリングの左右両端には果実を破砕できるブレードが対称的に設けられ、前記スライドリングの外周にはリング溝が設けられ、前記リング溝の中にはＴ字型ブロックが左右に対称的にスライドできるように連結され、各前記Ｔ字型ブロックの他端にはそれぞれ昇降ロッドが固定的に連結され、前記動力チャンバの上下端壁には親ねじが左右に対称的に回転できるように連結され、前記親ねじの外周には大プーリが固定的に設けられ、前記大プーリの直径は前記小プーリの直径よりはるかに大きく、前記大プーリと、前記大プーリと相対している小プーリとの間にはベルトが連結され、前記親ねじは上に延びて前記長スライド溝の中に入って前記長スライド溝の上下端壁と回転できるように連結され、前記長スライド溝において前記親ねじの中にはねじブロックがねじ山によって連結され、前記ねじブロックの中には嵌め込み溝が設けられ、前記嵌め込み溝の前後端壁には前記昇降ロッドをきつく挟めるガスケットが対称的に設けられ、前記昇降ロッドは前記ガスケットとスライドできるように連結されることができ、前記昇降ロッドを前記ガスケットの間に引っ掛け、前記ねじブロックの上下移動は前記昇降ロッドの上下移動を連動させることができることを特徴とする請求項１に記載のジュースカップ。
【発明の詳細な説明】
【技術分野】
【０００１】
本発明は日用品を取り上げて、具体的にはジュースカップである。
【背景技術】
【０００２】
絞りたてのジュースは体に良い栄養素を富んでおり、絞りたてのジュースを飲むことを好む人が増え、既存の家庭用ジューサーは、携帯に便利ではなく、外で新鮮なジュースを飲むことができなく、また携帯型の小さなジュースカップは、低電力のため、下の刃で果物をきれいに砕けることができず、洗浄するのも困難である。
【先行技術文献】
【特許文献】
【０００３】
【特許文献１】中国特許出願公開第１０５８３２１１６号明細書
【発明の概要】
【発明が解決しようとする課題】
【０００４】
本発明はジュースカップを提供し、既存技術にある上記の欠点を解消することを目的とする。
【課題を解決するための手段】
【０００５】
本発明の実施例におけるジュースカップは、本体を含み、前記本体にはカップカバーがねじ山によって連結され、前記カップカバーの中には内凹溝が設けられ、前記本体の中には前記内凹溝と連通したチャンバが設けられ、前記チャンバの下端壁には連結チャンバが設けられ、前記連結チャンバの下端壁には動力チャンバが設けられ、前記動力チャンバの下端壁にはモータが設けられ、前記モータの上端にはモータ軸が連結され、前記モータ軸の外周には小プーリが上下に対称的に固定的に設けられ、前記モータ軸の上端には前記連結チャンバとスライドできるように連結される取付けブロックが固定的に設けられ、前記取付けブロックの中には取付け溝が設けられ、前記取付け溝の左右端壁には引掛りブロック引掛り溝が対称的に設けられ、前記取付け溝の中には主軸がスライドできるように連結され、前記主軸の中には連動チャンバが設けられ、前記連動チャンバの中には前記主軸を固定できる固定装置が設けられ、前記主軸の外周には前記チャンバとスライドできるように連結されるゴムリングが固定的に設けられ、前記ゴムリングの中には前記主軸と固定的に連結される底板が設けられ、前記主軸の左右両端面には水入り口が対称的に設けられ、前記主軸の中にはストローがスライドできるように連結され、前記ストローの底端は水入り口と相通しており、前記チャンバの左右両端壁には長スライド溝が設けられ、前記長スライド溝と、前記チャンバと前記動力チャンバの中には破砕装置が設けられ、前記モータは前記破砕装置の昇降および回転を駆動する。
【０００６】
前記固定装置は前記主軸の中にスライドできるように取り付けられるプルロッドを含み、前記連動チャンバの上端壁には位置制限溝が左右に対称的に設けられ、前記連動チャンバの下端壁には引掛りブロックスライド溝が左右に対称的に設けられ、前記引掛りブロックスライド溝の中にはそれぞれ前記引掛りブロック引掛り溝とスライドできるように連結される引掛りブロックがスライドできるように連結され、前記引掛りブロックと、前記引掛りブロックと相対している前記引掛りブロックスライド溝との間には引掛りブロックばねが連結され、二個の前記引掛りブロックの上端面にはそれぞれスライドロッドが固定的に設けられ、各前記スライドロッドとプルロッドとの間にはそれぞれヒンジ連結ロッドがヒンジで連結され、各前記スライドロッドの上端面には前記位置制限溝とスライドできるように連結される位置制限ブロックが固定的に設けられ、前記プルロッドの上端には前記ストローとスライドできるように連結される回しチューブが固定的に設けられ、前記プルロッドが上方に移動すると、前記ヒンジ連結ロッドの一端が連動して上方に移動し、それによって、前記ヒンジ連結ロッドの他端が連動してプルロッドに近づき、前記引掛りブロックは前記引掛りブロック引掛り溝から離脱し、これにより、前記プルロッドを抜き出すことができる。
【０００７】
前記破砕装置は前記主軸の左右両端面に左右に対称的に固定的に取り付けられる駆動棒状体を含み、前記駆動棒状体にはスライドリングがスライドできるように連結され、前記スライドリングは前記主軸とスライドできるように連結され、前記スライドリングの左右両端には果実を破砕できるブレードが対称的に設けられ、前記スライドリングの外周にはリング溝が設けられ、前記リング溝の中にはＴ字型ブロックが左右に対称的にスライドできるように連結され、各前記Ｔ字型ブロックの他端にはそれぞれ昇降ロッドが固定的に連結され、前記動力チャンバの上下端壁には親ねじが左右に対称的に回転できるように連結され、前記親ねじの外周には大プーリが固定的に設けられ、前記大プーリの直径は前記小プーリの直径よりはるかに大きく、前記大プーリと、前記大プーリと相対している小プーリとの間にはベルトが連結され、前記親ねじは上に延びて前記長スライド溝の中に入って前記長スライド溝の上下端壁と回転できるように連結され、前記長スライド溝において前記親ねじの中にはねじブロックがねじ山によって連結され、前記ねじブロックの中には嵌め込み溝が設けられ、前記嵌め込み溝の前後端壁には前記昇降ロッドをきつく挟めるガスケットが対称的に設けられ、前記昇降ロッドは前記ガスケットとスライドできるように連結されることができ、前記昇降ロッドを前記ガスケットの間に引っ掛け、前記ねじブロックの上下移動は前記昇降ロッドの上下移動を連動させることができる。
【発明の効果】
【０００８】
本発明の有益な効果は：本装置は果実を砕けることができ、果物をジュースにすることができ、同時に、ブレードは上から下に移動して下に回転し、果物をもっときれいに破砕し、同時に、飲んだ後、  残りのジュースや顆粒のほとんどを連れ出すことができ、それによって洗浄を容易にし、本装置はサイズが小さく、外出時に使用できる。
【図面の簡単な説明】
【０００９】
【図１】図１は本発明のジュースカップの正面構成略図
【図２】図２は図１の中のＡの局部拡大図
【図３】図３は図１の中のＢの局部拡大図
【図４】図４は図２の中のＣ−Ｃ方向からの断面図
【図５】図５は図１の中のＤ−Ｄ方向からの断面図
【発明を実施するための形態】
【００１０】
本発明書に開示した全ての特徴、或いは開示した全ての方法、過程中のステップは、互いに排斥する特徴或いはステップ以外に、いかなる方式で組み合わせることができる。
【００１１】
本発明書（全ての添付の権利要求、要約および附図を含む）に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１２】
下記に図１〜５を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１３】
図１〜５を参照し、本発明の実施例におけるジュースカップは、本体２１を含み、前記本体２１にはカップカバー２２がねじ山によって連結され、前記カップカバー２２の中には内凹溝２３が設けられ、前記本体２１の中には前記内凹溝２３と連通したチャンバ３１が設けられ、前記チャンバ３１の下端壁には連結チャンバ２７が設けられ、前記連結チャンバ２７の下端壁には動力チャンバ３７が設けられ、前記動力チャンバ３７の下端壁にはモータ３９が設けられ、前記モータ３９の上端にはモータ軸４０が連結され、前記モータ軸４０の外周には小プーリ４１が上下に対称的に固定的に設けられ、前記モータ軸４０の上端には前記連結チャンバ２７とスライドできるように連結される取付けブロック４９が固定的に設けられ、前記取付けブロック４９の中には取付け溝４８が設けられ、前記取付け溝４８の左右端壁には引掛りブロック引掛り溝５３が対称的に設けられ、前記取付け溝４８の中には主軸３２がスライドできるように連結され、前記主軸３２の中には連動チャンバ６０が設けられ、前記連動チャンバ６０の中には前記主軸３２を固定できる固定装置１０１が設けられ、前記主軸３２の外周には前記チャンバ３１とスライドできるように連結されるゴムリング３４が固定的に設けられ、前記ゴムリング３４の中には前記主軸３２と固定的に連結される底板３５が設けられ、前記主軸３２の左右両端面には水入り口４２が対称的に設けられ、前記主軸３２の中にはストロー２６がスライドできるように連結され、前記ストロー２６の底端は水入り口４２と相通しており、前記チャンバ３１の左右両端壁には長スライド溝３０が設けられ、前記長スライド溝３０と、前記チャンバ３１と前記動力チャンバ３７の中には破砕装置１０２が設けられ、前記モータ３９は前記破砕装置１０２の昇降および回転を駆動する。
【００１４】
前記固定装置１０１は前記主軸３２の中にスライドできるように取り付けられるプルロッド２５を含み、前記連動チャンバ６０の上端壁には位置制限溝５７が左右に対称的に設けられ、前記連動チャンバ６０の下端壁には引掛りブロックスライド溝５０が左右に対称的に設けられ、前記引掛りブロックスライド溝５０の中にはそれぞれ前記引掛りブロック引掛り溝５３とスライドできるように連結される引掛りブロック５２がスライドできるように連結され、前記引掛りブロック５２と、前記引掛りブロック５２と相対している前記引掛りブロックスライド溝５０との間には引掛りブロックばね５１が連結され、二個の前記引掛りブロック５２の上端面にはそれぞれスライドロッド５５が固定的に設けられ、各前記スライドロッド５５とプルロッド２５との間にはそれぞれヒンジ連結ロッド５４がヒンジで連結され、各前記スライドロッド５５の上端面には前記位置制限溝５７とスライドできるように連結される位置制限ブロック５６が固定的に設けられ、前記プルロッド２５の上端には前記ストロー２６とスライドできるように連結される回しチューブ２４が固定的に設けられ、前記プルロッド２５が上方に移動すると、前記ヒンジ連結ロッド５４の一端が連動して上方に移動し、それによって、前記ヒンジ連結ロッド５４の他端が連動してプルロッド２５に近づき、前記引掛りブロック５２は前記引掛りブロック引掛り溝５３から離脱し、これにより、前記プルロッド２５を抜き出すことができる。
【００１５】
前記破砕装置１０２は前記主軸３２の左右両端面に左右に対称的に固定的に取り付けられる駆動棒状体３３を含み、前記駆動棒状体３３にはスライドリング４７がスライドできるように連結され、前記スライドリング４７は前記主軸３２とスライドできるように連結され、前記スライドリング４７の左右両端には果実を破砕できるブレード４６が対称的に設けられ、前記スライドリング４７の外周にはリング溝４３が設けられ、前記リング溝４３の中にはＴ字型ブロック４４が左右に対称的にスライドできるように連結され、各前記Ｔ字型ブロック４４の他端にはそれぞれ昇降ロッド４５が固定的に連結され、前記動力チャンバ３７の上下端壁には親ねじ２８が左右に対称的に回転できるように連結され、前記親ねじ２８の外周には大プーリ３６が固定的に設けられ、前記大プーリ３６の直径は前記小プーリ４１の直径よりはるかに大きく、前記大プーリ３６と、前記大プーリ３６と相対している小プーリ４１との間にはベルト３８が連結され、前記親ねじ２８は上に延びて前記長スライド溝３０の中に入って前記長スライド溝３０の上下端壁と回転できるように連結され、前記長スライド溝３０において前記親ねじ２８の中にはねじブロック２９がねじ山によって連結され、前記ねじブロック２９の中には嵌め込み溝５９が設けられ、前記嵌め込み溝５９の前後端壁には前記昇降ロッド４５をきつく挟めるガスケット５８が対称的に設けられ、前記昇降ロッド４５は前記ガスケット５８とスライドできるように連結されることができ、前記昇降ロッド４５を前記ガスケット５８の間に引っ掛け、前記ねじブロック２９の上下移動は前記昇降ロッド４５の上下移動を連動させることができる。
【００１６】
利用するとき、まず前記カップカバー２２を捻って開き、このとき、前記ねじブロック２９は最も上端に位置し、果実を前記チャンバ３１に入れ、それから前記カップカバー２２を閉じ、それから前記モータ３９を回転させ、これにより前記モータ軸４０を回転連動させ、これにより前記取付ブロック４９と、前記主軸３２と、前記駆動棒状体３３と、前記ストロー２６と、前記プルロッド２５と、前記回しチューブ２４と、前記スライドリング４７および前記ブレード４６を回転連動させ、前記小プーリ４１は前記大プーリ３６および前記親ねじ２８を回転連動させ、それにより前記ねじブロック２９を連動させて下方に移動させ、これにより前記昇降ロッド４５と、前記Ｔ字型ブロック４４と、前記スライドリング４７および前記ブレード４６を連動させて下方に移動させ、それによって果物は完全に破砕し、その後、前記回しチューブ２４を通してジュースを飲め、飲み終わったら前記回しチューブ２４を引き上げ、それにより前記プルロッド２５を連動させて上方に移動させ、それによって前記ヒンジ連結ロッド５４の一端を上方に移動させ、更に前記ヒンジ連結ロッド５４の他端をプルロッド２５に接近連動させ、前記引掛りブロック５２は前記引掛りブロック引掛り溝５３から離脱し、これにより、プルロッド２５を抜き出して洗浄することができ、抜き出すと同時に前記ゴムリング３４は前記チャンバ３１の内壁に残っている大部分のジュースおよび粒子を連れ出して洗浄に便利を与える。
【００１７】
本発明の有益な効果は：本装置は果実を砕けることができ、果物をジュースにすることができ、同時に、ブレードは上から下に移動して下に回転し、果物をもっときれいに破砕し、同時に、飲んだ後、  残りのジュースや顆粒のほとんどを連れ出すことができ、それによって洗浄を容易にし、本装置はサイズが小さく、外出時に使用できる。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179074.tif 000003
【図２】
2020179074.tif 000004
【図３】
2020179074.tif 000005
【図４】
2020179074.tif 000006
【図５】
2020179074.tif 000007
【手続補正書】
【提出日】令和1年11月18日(2019.11.18)
【手続補正１】
【補正対象書類名】特許請求の範囲
【補正対象項目名】請求項３
【補正方法】変更
【補正の内容】
【請求項３】
前記破砕装置は前記主軸の左右両端面に左右に対称的に固定的に取り付けられる駆動棒状体を含み、前記駆動棒状体にはスライドリングがスライドできるように連結され、前記スライドリングは前記主軸とスライドできるように連結され、前記スライドリングの左右両端には果実を破砕できるブレードが対称的に設けられ、前記スライドリングの外周にはリング溝が設けられ、前記リング溝の中にはＴ字型ブロックが左右に対称的にスライドできるように連結され、各前記Ｔ字型ブロックの他端にはそれぞれ昇降ロッドが固定的に連結され、前記動力チャンバの上下端壁には親ねじが左右に対称的に回転できるように連結され、前記親ねじの外周には大プーリが固定的に設けられ、前記大プーリの直径は前記小プーリの直径より大きく、前記大プーリと、前記大プーリと相対している小プーリとの間にはベルトが連結され、前記親ねじは上に延びて前記長スライド溝の中に入って前記長スライド溝の上下端壁と回転できるように連結され、前記長スライド溝において前記親ねじの中にはねじブロックがねじ山によって連結され、前記ねじブロックの中には嵌め込み溝が設けられ、前記嵌め込み溝の前後端壁には前記昇降ロッドをきつく挟めるガスケットが対称的に設けられ、前記昇降ロッドは前記ガスケットとスライドできるように連結されることができ、前記昇降ロッドを前記ガスケットの間に引っ掛け、前記ねじブロックの上下移動は前記昇降ロッドの上下移動を連動させることができることを特徴とする請求項１に記載のジュースカップ。
【手続補正２】
【補正対象書類名】明細書
【補正対象項目名】全文
【補正方法】変更
【補正の内容】
【発明の詳細な説明】
【技術分野】
【０００１】
本発明は日用品を取り上げて、具体的にはジュースカップである。
【背景技術】
【０００２】
絞りたてのジュースは体に良い栄養素を富んでおり、絞りたてのジュースを飲むことを好む人が増え、既存の家庭用ジューサーは、携帯に便利ではなく、外で新鮮なジュースを飲むことができなく、また携帯型の小さなジュースカップは、低電力のため、下の刃で果物をきれいに砕けることができず、洗浄するのも困難である。
【先行技術文献】
【特許文献】
【０００３】
【特許文献１】中国特許出願公開第１０５８３２１１６号明細書
【発明の概要】
【発明が解決しようとする課題】
【０００４】
本発明はジュースカップを提供し、既存技術にある上記の欠点を解消することを目的とする。
【課題を解決するための手段】
【０００５】
本発明の実施例におけるジュースカップは、本体を含み、前記本体にはカップカバーがねじ山によって連結され、前記カップカバーの中には内凹溝が設けられ、前記本体の中には前記内凹溝と連通したチャンバが設けられ、前記チャンバの下端壁には連結チャンバが設けられ、前記連結チャンバの下端壁には動力チャンバが設けられ、前記動力チャンバの下端壁にはモータが設けられ、前記モータの上端にはモータ軸が連結され、前記モータ軸の外周には小プーリが上下に対称的に固定的に設けられ、前記モータ軸の上端には前記連結チャンバとスライドできるように連結される取付けブロックが固定的に設けられ、前記取付けブロックの中には取付け溝が設けられ、前記取付け溝の左右端壁には引掛りブロック引掛り溝が対称的に設けられ、前記取付け溝の中には主軸がスライドできるように連結され、前記主軸の中には連動チャンバが設けられ、前記連動チャンバの中には前記主軸を固定できる固定装置が設けられ、前記主軸の外周には前記チャンバとスライドできるように連結されるゴムリングが固定的に設けられ、前記ゴムリングの中には前記主軸と固定的に連結される底板が設けられ、前記主軸の左右両端面には水入り口が対称的に設けられ、前記主軸の中にはストローがスライドできるように連結され、前記ストローの底端は水入り口と相通しており、前記チャンバの左右両端壁には長スライド溝が設けられ、前記長スライド溝と、前記チャンバと前記動力チャンバの中には破砕装置が設けられ、前記モータは前記破砕装置の昇降および回転を駆動する。
【０００６】
前記固定装置は前記主軸の中にスライドできるように取り付けられるプルロッドを含み、前記連動チャンバの上端壁には位置制限溝が左右に対称的に設けられ、前記連動チャンバの下端壁には引掛りブロックスライド溝が左右に対称的に設けられ、前記引掛りブロックスライド溝の中にはそれぞれ前記引掛りブロック引掛り溝とスライドできるように連結される引掛りブロックがスライドできるように連結され、前記引掛りブロックと、前記引掛りブロックと相対している前記引掛りブロックスライド溝との間には引掛りブロックばねが連結され、二個の前記引掛りブロックの上端面にはそれぞれスライドロッドが固定的に設けられ、各前記スライドロッドとプルロッドとの間にはそれぞれヒンジ連結ロッドがヒンジで連結され、各前記スライドロッドの上端面には前記位置制限溝とスライドできるように連結される位置制限ブロックが固定的に設けられ、前記プルロッドの上端には前記ストローとスライドできるように連結される回しチューブが固定的に設けられ、前記プルロッドが上方に移動すると、前記ヒンジ連結ロッドの一端が連動して上方に移動し、それによって、前記ヒンジ連結ロッドの他端が連動してプルロッドに近づき、前記引掛りブロックは前記引掛りブロック引掛り溝から離脱し、これにより、前記プルロッドを抜き出すことができる。
【０００７】
前記破砕装置は前記主軸の左右両端面に左右に対称的に固定的に取り付けられる駆動棒状体を含み、前記駆動棒状体にはスライドリングがスライドできるように連結され、前記スライドリングは前記主軸とスライドできるように連結され、前記スライドリングの左右両端には果実を破砕できるブレードが対称的に設けられ、前記スライドリングの外周にはリング溝が設けられ、前記リング溝の中にはＴ字型ブロックが左右に対称的にスライドできるように連結され、各前記Ｔ字型ブロックの他端にはそれぞれ昇降ロッドが固定的に連結され、前記動力チャンバの上下端壁には親ねじが左右に対称的に回転できるように連結され、前記親ねじの外周には大プーリが固定的に設けられ、前記大プーリの直径は前記小プーリの直径より大きく、前記大プーリと、前記大プーリと相対している小プーリとの間にはベルトが連結され、前記親ねじは上に延びて前記長スライド溝の中に入って前記長スライド溝の上下端壁と回転できるように連結され、前記長スライド溝において前記親ねじの中にはねじブロックがねじ山によって連結され、前記ねじブロックの中には嵌め込み溝が設けられ、前記嵌め込み溝の前後端壁には前記昇降ロッドをきつく挟めるガスケットが対称的に設けられ、前記昇降ロッドは前記ガスケットとスライドできるように連結されることができ、前記昇降ロッドを前記ガスケットの間に引っ掛け、前記ねじブロックの上下移動は前記昇降ロッドの上下移動を連動させることができる。
【発明の効果】
【０００８】
本発明の有益な効果は：本装置は果実を砕けることができ、果物をジュースにすることができ、同時に、ブレードは上から下に移動して下に回転し、果物をもっときれいに破砕し、同時に、飲んだ後、残りのジュースや顆粒のほとんどを連れ出すことができ、それによって洗浄を容易にし、本装置はサイズが小さく、外出時に使用できる。
【図面の簡単な説明】
【０００９】
【図１】図１は本発明のジュースカップの正面構成略図
【図２】図２は図１の中のＡの局部拡大図
【図３】図３は図１の中のＢの局部拡大図
【図４】図４は図２の中のＣ−Ｃ方向からの断面図
【図５】図５は図１の中のＤ−Ｄ方向からの断面図
【発明を実施するための形態】
【００１０】
本発明書に開示した全ての特徴、或いは開示した全ての方法、過程中のステップは、互いに排斥する特徴或いはステップ以外に、いかなる方式で組み合わせることができる。
【００１１】
本発明書（全ての添付の権利要求、要約および附図を含む）に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１２】
下記に図１〜５を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１３】
図１〜５を参照し、本発明の実施例におけるジュースカップは、本体２１を含み、前記本体２１にはカップカバー２２がねじ山によって連結され、前記カップカバー２２の中には内凹溝２３が設けられ、前記本体２１の中には前記内凹溝２３と連通したチャンバ３１が設けられ、前記チャンバ３１の下端壁には連結チャンバ２７が設けられ、前記連結チャンバ２７の下端壁には動力チャンバ３７が設けられ、前記動力チャンバ３７の下端壁にはモータ３９が設けられ、前記モータ３９の上端にはモータ軸４０が連結され、前記モータ軸４０の外周には小プーリ４１が上下に対称的に固定的に設けられ、前記モータ軸４０の上端には前記連結チャンバ２７とスライドできるように連結される取付けブロック４９が固定的に設けられ、前記取付けブロック４９の中には取付け溝４８が設けられ、前記取付け溝４８の左右端壁には引掛りブロック引掛り溝５３が対称的に設けられ、前記取付け溝４８の中には主軸３２がスライドできるように連結され、前記主軸３２の中には連動チャンバ６０が設けられ、前記連動チャンバ６０の中には前記主軸３２を固定できる固定装置１０１が設けられ、前記主軸３２の外周には前記チャンバ３１とスライドできるように連結されるゴムリング３４が固定的に設けられ、前記ゴムリング３４の中には前記主軸３２と固定的に連結される底板３５が設けられ、前記主軸３２の左右両端面には水入り口４２が対称的に設けられ、前記主軸３２の中にはストロー２６がスライドできるように連結され、前記ストロー２６の底端は水入り口４２と相通しており、前記チャンバ３１の左右両端壁には長スライド溝３０が設けられ、前記長スライド溝３０と、前記チャンバ３１と前記動力チャンバ３７の中には破砕装置１０２が設けられ、前記モータ３９は前記破砕装置１０２の昇降および回転を駆動する。
【００１４】
前記固定装置１０１は前記主軸３２の中にスライドできるように取り付けられるプルロッド２５を含み、前記連動チャンバ６０の上端壁には位置制限溝５７が左右に対称的に設けられ、前記連動チャンバ６０の下端壁には引掛りブロックスライド溝５０が左右に対称的に設けられ、前記引掛りブロックスライド溝５０の中にはそれぞれ前記引掛りブロック引掛り溝５３とスライドできるように連結される引掛りブロック５２がスライドできるように連結され、前記引掛りブロック５２と、前記引掛りブロック５２と相対している前記引掛りブロックスライド溝５０との間には引掛りブロックばね５１が連結され、二個の前記引掛りブロック５２の上端面にはそれぞれスライドロッド５５が固定的に設けられ、各前記スライドロッド５５とプルロッド２５との間にはそれぞれヒンジ連結ロッド５４がヒンジで連結され、各前記スライドロッド５５の上端面には前記位置制限溝５７とスライドできるように連結される位置制限ブロック５６が固定的に設けられ、前記プルロッド２５の上端には前記ストロー２６とスライドできるように連結される回しチューブ２４が固定的に設けられ、前記プルロッド２５が上方に移動すると、前記ヒンジ連結ロッド５４の一端が連動して上方に移動し、それによって、前記ヒンジ連結ロッド５４の他端が連動してプルロッド２５に近づき、前記引掛りブロック５２は前記引掛りブロック引掛り溝５３から離脱し、これにより、前記プルロッド２５を抜き出すことができる。
【００１５】
前記破砕装置１０２は前記主軸３２の左右両端面に左右に対称的に固定的に取り付けられる駆動棒状体３３を含み、前記駆動棒状体３３にはスライドリング４７がスライドできるように連結され、前記スライドリング４７は前記主軸３２とスライドできるように連結され、前記スライドリング４７の左右両端には果実を破砕できるブレード４６が対称的に設けられ、前記スライドリング４７の外周にはリング溝４３が設けられ、前記リング溝４３の中にはＴ字型ブロック４４が左右に対称的にスライドできるように連結され、各前記Ｔ字型ブロック４４の他端にはそれぞれ昇降ロッド４５が固定的に連結され、前記動力チャンバ３７の上下端壁には親ねじ２８が左右に対称的に回転できるように連結され、前記親ねじ２８の外周には大プーリ３６が固定的に設けられ、前記大プーリ３６の直径は前記小プーリ４１の直径より大きく、前記大プーリ３６と、前記大プーリ３６と相対している小プーリ４１との間にはベルト３８が連結され、前記親ねじ２８は上に延びて前記長スライド溝３０の中に入って前記長スライド溝３０の上下端壁と回転できるように連結され、前記長スライド溝３０において前記親ねじ２８の中にはねじブロック２９がねじ山によって連結され、前記ねじブロック２９の中には嵌め込み溝５９が設けられ、前記嵌め込み溝５９の前後端壁には前記昇降ロッド４５をきつく挟めるガスケット５８が対称的に設けられ、前記昇降ロッド４５は前記ガスケット５８とスライドできるように連結されることができ、前記昇降ロッド４５を前記ガスケット５８の間に引っ掛け、前記ねじブロック２９の上下移動は前記昇降ロッド４５の上下移動を連動させることができる。
【００１６】
利用するとき、まず前記カップカバー２２を捻って開き、このとき、前記ねじブロック２９は最も上端に位置し、果実を前記チャンバ３１に入れ、それから前記カップカバー２２を閉じ、それから前記モータ３９を回転させ、これにより前記モータ軸４０を回転連動させ、これにより前記取付ブロック４９と、前記主軸３２と、前記駆動棒状体３３と、前記ストロー２６と、前記プルロッド２５と、前記回しチューブ２４と、前記スライドリング４７および前記ブレード４６を回転連動させ、前記小プーリ４１は前記大プーリ３６および前記親ねじ２８を回転連動させ、それにより前記ねじブロック２９を連動させて下方に移動させ、これにより前記昇降ロッド４５と、前記Ｔ字型ブロック４４と、前記スライドリング４７および前記ブレード４６を連動させて下方に移動させ、それによって果物は完全に破砕し、その後、前記回しチューブ２４を通してジュースを飲め、飲み終わったら前記回しチューブ２４を引き上げ、それにより前記プルロッド２５を連動させて上方に移動させ、それによって前記ヒンジ連結ロッド５４の一端を上方に移動させ、更に前記ヒンジ連結ロッド５４の他端をプルロッド２５に接近連動させ、前記引掛りブロック５２は前記引掛りブロック引掛り溝５３から離脱し、これにより、プルロッド２５を抜き出して洗浄することができ、抜き出すと同時に前記ゴムリング３４は前記チャンバ３１の内壁に残っている大部分のジュースおよび粒子を連れ出して洗浄に便利を与える。
【００１７】
本発明の有益な効果は：本装置は果実を砕けることができ、果物をジュースにすることができ、同時に、ブレードは上から下に移動して下に回転し、果物をもっときれいに破砕し、同時に、飲んだ後、残りのジュースや顆粒のほとんどを連れ出すことができ、それによって洗浄を容易にし、本装置はサイズが小さく、外出時に使用できる。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。